(57)【要約】【課題】送風ダクトを分岐し、複数の居室内を同時に冷暖房することがあり、ダクト長やダクトの曲がりそして分岐数により、各居室内への吹出し風量が異なることにより空調ロスの発生や居室別の換気量を調整できないという課題があり、各居室内に安定風量の吹出しと換気量を空質に応じて可変し快適環境を創り出すことを目的とする。【解決手段】室内機１の冷暖房調整と居室内に備えた吹出ユニット１２と吸込ユニット２３からの風量と換気ダンパによる換気量を制御することにより、ダクト長やダクトの曲がりそして分岐数による風路の抵抗を考慮することなく、必要量の吹出しと吸込み風量と換気量で空気調和した空気を居室内に供給することができる空気調和機を得られる。【選択図】図１
2007187335.tif 000002
【特許請求の範囲】
【請求項１】
屋内排気吸込口から屋外排気口へ至る風路を通過する空気と屋外吸込口から複数の屋内吹出口へ至る風路を通過する空気を熱交換する全熱交換器と、屋外吸込口から熱交換された空気を各屋内吹出口へ送風する独立風路と、前記各独立風路内に風量を調整する風量ダンパと冷房または暖房する熱交換器と、屋内循環吸込口から屋内吹出口へ送風する循環風路と、前記循環風路内に冷房または暖房する熱交換器と、前記独立風路と循環風路の混合空気を吹出す屋内吹出口を備えた室内機と、前記室内機の屋内吹出口とダクトにより接続する吹出ファンと空気の汚れを検出するセンサーを備えた吹出ユニットと、屋内排気吸込口とダクトにより接続し吸込ファンを備えた吸込ユニットとを備え、前記吹出ユニットに備えたセンサーにより各居室の空気の汚れを検出し各独立風路の風量ダンパを切換えることを特徴とする空気調和機。
【請求項２】
吹出ユニットにＣＯ↓２センサーを備え、居室内の二酸化炭素濃度により風量ダンパを切換えることを特徴とする請求項１記載の空気調和機。
【請求項３】
吹出ユニットのＣＯ↓２センサーによる居室内の二酸化炭素濃度により風量ダンパを切換え、吹出ファンと吸込ファンの風量を増減することを特徴とする請求項１記載の空気調和機。
【請求項４】
吹出ユニットにＣＯセンサーを備え、居室内の一酸化炭素濃度により風量ダンパを切換えることを特徴とする請求項１記載の空気調和機。
【請求項５】
吹出ユニットのＣＯセンサーによる居室内の一酸化炭素濃度により風量ダンパを切換え、吹出ファンと吸込ファンの風量を増減することを特徴とする請求項１記載の空気調和機。
【請求項６】
吹出ユニットに粉塵センサーを備え、居室内の粉塵量により風量ダンパを切換えることを特徴とする請求項１記載の空気調和機。
【請求項７】
吹出ユニットの粉塵センサーによる居室内の粉塵量により風量ダンパを切換え、吹出ファンと吸込ファンの風量を増減することを特徴とする請求項１記載の空気調和機。
【請求項８】
吹出ユニットにＶＯＣセンサーを備え、居室内のホルムアルデヒドにより風量ダンパを切換えることを特徴とする請求項１記載の空気調和機。
【請求項９】
吹出ユニットのＶＯＣセンサーによる居室内のホルムアルデヒドにより風量ダンパを切換え、吹出ファンと吸込ファンの風量を増減することを特徴とする請求項１記載の空気調和機。
【請求項１０】
吹出ユニットにアンモニアセンサーを備え、居室内のアンモニアにより風量ダンパを切換えることを特徴とする請求項１記載の空気調和機。
【請求項１１】
吹出ユニットのアンモニアセンサーによる居室内のアンモニアにより風量ダンパを切換え、吹出ファンと吸込ファンの風量を増減することを特徴とする請求項１記載の空気調和機。
【請求項１２】
吹出ユニットに、居室内の人を認識する人感センサーを設け、人の有無により風量ダンパを切換え、吹出ファンと吸込ファンの風量を増減することを特徴とする請求項１記載の空気調和機。
【請求項１３】
人感センサーが検出した在室人数により、吹出ファンと吸込ファンの風量を増減することを特徴とする請求項１記載の空気調和機。
【発明の詳細な説明】
【技術分野】
【０００１】
本発明は、空気調和機の室内機内部に使用している給気ファンを室内機本体から無くし、吸込ユニットに吸込ファンを設け、吹出ユニットに吹出ファンを設けた冷暖房ユニットに関する。
【背景技術】
【０００２】
従来、この種の空気調和機は、室内機本体に送風用の給気ファンを設けたものが知られている（例えば、特許文献１参照）。
【０００３】
以下、その空気調和機について図１５を参照しながら説明する。
【０００４】
図１５に示すように、室内機１０１内部には２個の給気ファン１０２、１０３と、汚染空気を排気口１０４から屋外へ排気する排気ファン１０５と、屋外から導入される外気と屋内からの排気の間で熱交換する全熱交換器１０６と、全熱交換器を通過した外気をさらに加熱または冷却する冷暖房用熱交換器１０７を備え、屋内各居室と分岐チャンバ１０８を介してダクト１０９で接続されている。新鮮空気は給気ファン１０２によって外気導入口１１０より導入し、全熱交換器１０６によって排気との熱交換を行った上で冷暖房用熱交換器１０７を通って加熱または冷却され、さらに給気ファン１０３によって分岐チャンバ１０７を介してダクト１０９によって屋内各居室へ送られる。
【特許文献１】特開２０００−１６１７１１号公報
【発明の開示】
【発明が解決しようとする課題】
【０００５】
このような従来の空気調和機では、分岐チャンバを介してダクトで接続し複数の居室を同時に冷暖房することがあり、ダクト長やダクトの曲がりそして分岐数により、各居室の吹出風量にばらつきを生じ冷暖房不足を発生する。また、各居室をそれぞれ個別に換気できないという課題がり、各居室に最適な風量の供給と各居室の空気の汚れに応じて個別に換気することが要求されている。
【０００６】
本発明は、このような従来の課題を解決するものであり、各居室に最適な吹出風量を供給し、各居室の汚れ具合に応じて居室別に換気量を増減し屋外の新鮮な空気を取り込み居室の温度変動を抑え汚れた空気を早急に屋外に排気することができる空気調和機を提供することを目的としている。
【０００７】
また、従来の空気調和機では、居室内の二酸化炭素濃度が上昇しても通常動作するだけであり、居室別に温度変動を抑え二酸化炭素濃度を低減することが要求されている。
【０００８】
本発明は、このような従来の課題を解決するものであり、居室別に二酸化炭素濃度が上昇すると、屋外の新鮮な空気を居室内に取り込む換気量を増加し居室内の温度変動を抑え居室内の空気を屋外に排気し二酸化炭素濃度を低減することができる空気調和機を提供することを目的としている。
【０００９】
また、従来の空気調和機では、居室内の二酸化炭素濃度が上昇しても通常動作するだけであり、居室別に温度変動を抑え二酸化炭素濃度を急速に低減することが要求されている。
【００１０】
本発明は、このような従来の課題を解決するものであり、居室別に二酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより二酸化炭素濃度を急速に低減できる空気調和機を提供することを目的としている。
【００１１】
また、従来の空気調和機では、居室内の一酸化炭素濃度が上昇しても通常動作するだけであり、居室別に温度変動を抑え一酸化炭素濃度を低減することが要求されている。
【００１２】
本発明は、このような従来の課題を解決するものであり、居室別に一酸化炭素濃度が上昇すると、屋外の新鮮な空気を居室内に取り込む換気量を増加し居室内の温度変動を抑え居室内の空気を屋外に排気し一酸化炭素濃度を低減することができる空気調和機を提供することを目的としている。
【００１３】
また、従来の空気調和機では、居室内の一酸化炭素濃度が上昇しても通常動作するだけであり、居室別に温度変動を抑え一酸化炭素濃度を急速に低減することが要求されている。
【００１４】
本発明は、このような従来の課題を解決するものであり、居室別に一酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより一酸化炭素濃度を急速に低減できる空気調和機を提供することを目的としている。
【００１５】
また、従来の空気調和機では、居室内の粉塵量が上昇しても通常動作するだけであり、居室別に温度変動を抑え粉塵を低減することが要求されている。
【００１６】
本発明は、このような従来の課題を解決するものであり、居室別に粉塵が上昇すると、屋外の新鮮な空気を居室内に取り込む換気量を増加し居室内の温度変動を抑え居室内の空気を屋外に排気し粉塵量を低減することができる空気調和機を提供することを目的としている。
【００１７】
また、従来の空気調和機では、居室内の粉塵が上昇しても通常動作するだけであり、居室内の温度変動を抑え粉塵を急速に低減することが要求されている。
【００１８】
本発明は、このような従来の課題を解決するものであり、居室別に粉塵が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより粉塵量を急速に低減できる空気調和機を提供することを目的としている。
【００１９】
また、従来の空気調和機では、居室内のホルムアルデヒド濃度が上昇しても通常動作するだけであり、居室別に温度変動を抑えホルムアルデヒド濃度を低減することが要求されている。
【００２０】
本発明は、このような従来の課題を解決するものであり、居室別にホルムアルデヒド濃度が上昇すると、屋外の新鮮な空気を居室内に取り込む換気量を増加し居室内の温度変動を抑え居室内の空気を屋外に排気しホルムアルデヒド濃度を低減することができる空気調和機を提供することを目的としている。
【００２１】
また、従来の空気調和機では、居室内のホルムアルデヒド濃度が上昇しても通常動作するだけであり、居室内の温度変動を抑えホルムアルデヒド濃度を急速に低減することが要求されている。
【００２２】
本発明は、このような従来の課題を解決するものであり、居室別にホルムアルデヒド濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりホルムアルデヒド濃度を急速に低減できる空気調和機を提供することを目的としている。
【００２３】
また、従来の空気調和機では、室内のアンモニア濃度が上昇しても通常動作するだけであり、居室別に温度変動を抑えアンモニア濃度を低減することが要求されている。
【００２４】
本発明は、このような従来の課題を解決するものであり、居室別にアンモニア濃度が上昇すると、屋外の新鮮な空気を居室内に取り込む換気量を増加し居室内の温度変動を抑え居室内の空気を屋外に排気しアンモニア濃度を低減することができる空気調和機を提供することを目的としている。
【００２５】
また、従来の空気調和機では、室内のアンモニア濃度が上昇しても通常動作するだけであり、室内の温度の変動を抑えアンモニア濃度を急速に低減することが要求されている。
【００２６】
本発明は、このような従来の課題を解決するものであり、居室別にアンモニア濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりアンモニア濃度を急速に低減できる空気調和機を提供することを目的としている。
【００２７】
また、従来の空気調和機では、室内に在室している人を確認し、室内の温度の変動を抑えタバコの臭いやＣＯ↓２などの嫌な臭いを排出することが要求されている。
【００２８】
本発明は、このような従来の課題を解決するものであり、居室別に在室を検出すると、屋外の新鮮な空気を居室内に取り込む換気量を増加し居室内の温度変動を抑え居室内の嫌な臭いを屋外に排気することができる空気調和機を提供することを目的としている。
【００２９】
また、従来の空気調和機では、居室内に在室している人を認識し在室している人数に応じた吸込風量と吹出風量に調整し快適環境を創り出すことが要求されている。
【００３０】
本発明は、このような従来の課題を解決するものであり、居室別に在室人数により、吸込ユニットと吹出ユニットからの吸込と吹出風量を制御することができる空気調和機を提供することを目的としている。
【課題を解決するための手段】
【００３１】
本発明の空気調和機は上記目的を達成するために、屋内排気吸込口から屋外排気口へ至る風路を通過する空気と屋外吸込口から複数の屋内吹出口へ至る風路を通過する空気を熱交換する全熱交換器と、屋外吸込口から熱交換された空気を各屋内吹出口へ送風する独立風路と、前記各独立風路内に風量を調整する風量ダンパと冷房または暖房する熱交換器と、屋内循環吸込口から屋内吹出口へ送風する循環風路と、前記循環風路内に冷房または暖房する熱交換器と、前記独立風路と循環風路の混合空気を吹出す屋内吹出口を備えた室内機と、前記室内機の屋内吹出口とダクトにより接続し吹出ファンと空気の汚れを検出するセンサーを備えた吹出ユニットと、屋内排気吸込口とダクトにより接続する吸込ファンを備えた吸込ユニットとを備え、前記吹出ユニットに備えたセンサーにより各居室の空気の汚れを検出し各独立風路の風量ダンパを切換えるものである。
【００３２】
この手段により、各居室に最適な吹出風量を供給し、各居室の汚れ具合に応じて居室別に換気量を増減し屋外の新鮮な空気を取り込み居室の温度変動を抑え汚れた空気を早急に屋外に排気することができる空気調和機が得られる。
【００３３】
また、本発明の空気調和機は上記目的を達成するために、吹出ユニットにＣＯ↓２センサーを備え、居室内の二酸化炭素濃度により風量ダンパを切換えるものである。
【００３４】
この手段により、居室別に二酸化炭素濃度が上昇すると、屋外の新鮮な空気を居室内に取り込む換気量を増加し居室内の温度変動を抑え居室内の空気を屋外に排気し二酸化炭素濃度を低減することができる空気調和機が得られる。
【００３５】
また、本発明の空気調和機は上記目的を達成するために、吹出ユニットのＣＯ↓２センサーによる居室内の二酸化炭素濃度により風量ダンパを切換え、吹出ファンと吸込ファンの風量を増減するものである。
【００３６】
この手段により、居室別に二酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより二酸化炭素濃度を急速に低減できる空気調和機が得られる。
【００３７】
また、本発明の空気調和機は上記目的を達成するために、吹出ユニットにＣＯセンサーを備え、居室内の一酸化炭素濃度により風量ダンパを切換えるものである。
【００３８】
この手段により、居室別に一酸化炭素濃度が上昇すると、屋外の新鮮な空気を居室内に取り込む換気量を増加し居室内の温度変動を抑え居室内の空気を屋外に排気し一酸化炭素濃度を低減することができる空気調和機が得られる。
【００３９】
また、本発明の空気調和機は上記目的を達成するために、吹出ユニットのＣＯセンサーによる居室内の一酸化炭素濃度により風量ダンパを切換え、吹出ファンと吸込ファンの風量を増減するものである。
【００４０】
この手段により、居室別に一酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより一酸化炭素濃度を急速に低減できる空気調和機が得られる。
【００４１】
また、本発明の空気調和機は上記目的を達成するために、吹出ユニットに粉塵センサーを備え、居室内の粉塵量により風量ダンパを切換えるものである。
【００４２】
この手段により、居室別に粉塵が上昇すると、屋外の新鮮な空気を居室内に取り込む換気量を増加し居室内の温度変動を抑え居室内の空気を屋外に排気し粉塵量を低減することができる空気調和機が得られる。
【００４３】
また、本発明の空気調和機は上記目的を達成するために、吹出ユニットの粉塵センサーによる居室内の粉塵量により風量ダンパを切換え、吹出ファンと吸込ファンの風量を増減するものである。
【００４４】
この手段により、居室別に粉塵が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより粉塵量を急速に低減できる空気調和機が得られる。
【００４５】
また、本発明の空気調和機は上記目的を達成するために、吹出ユニットにＶＯＣセンサーを備え、居室内のホルムアルデヒドにより風量ダンパを切換えるものである。
【００４６】
この手段により、居室別にホルムアルデヒド濃度が上昇すると、屋外の新鮮な空気を居室内に取り込む換気量を増加し居室内の温度変動を抑え居室内の空気を屋外に排気しホルムアルデヒド濃度を低減することができる空気調和機が得られる。
【００４７】
また、本発明の空気調和機は上記目的を達成するために、吹出ユニットのＶＯＣセンサーによる室内のホルムアルデヒドにより風量ダンパを切換え、吹出ファンと吸込ファンの風量を増減するものである。
【００４８】
この手段により、居室別にホルムアルデヒド濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりホルムアルデヒド濃度を急速に低減できる空気調和機が得られる。
【００４９】
また、本発明の空気調和機は上記目的を達成するために、吹出ユニットにアンモニアセンサーを備え、居室内のアンモニアにより風量ダンパを切換えるものである。
【００５０】
この手段により、居室別にアンモニア濃度が上昇すると、屋外の新鮮な空気を居室内に取り込む換気量を増加し居室内の温度変動を抑え居室内の空気を屋外に排気しアンモニア濃度を低減することができる空気調和機が得られる。
【００５１】
また、本発明の空気調和機は上記目的を達成するために、吹出ユニットのアンモニアセンサーによる居室内のアンモニアにより風量ダンパを切換え、吹出ファンと吸込ファンの風量を増減するものである。
【００５２】
この手段により、居室別にアンモニア濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりアンモニア濃度を急速に低減できる空気調和機が得られる。
【００５３】
また、本発明の空気調和機は上記目的を達成するために、吹出ユニットに、居室内の人を認識する人感センサーを設け、人の有無により風量ダンパを切換え、吹出ファンと吸込ファンの風量を増減するものである。
【００５４】
この手段により、居室別に在室を検出すると、屋外の新鮮な空気を居室内に取り込む換気量を増加し居室内の温度変動を抑え居室内の嫌な臭いを屋外に排気することできる空気調和機が得られる。
【００５５】
また、本発明の空気調和機は上記目的を達成するために、在室人数により風量ダンパを切換え、吹出ファンと吸込ファンの風量を増減するものである。
【００５６】
この手段により、居室別に在室人数により、吸込ユニットと吹出ユニットからの吸込と吹出風量を制御することができる空気調和機が得られる。
【発明の効果】
【００５７】
本発明によれば室内機に送風用のファンを設けることなく、また、ダクト長やダクトの曲がりそして分岐数を考慮することなく、吸込ユニットの吸込風量と吹出ユニットの吸出風量を調整することにより、各居室内に必要風量だけ供給し空調ロスの発生を減らし、最適な風量を供給する。前記吹出ユニットに備えたセンサーにより各居室の空気の汚れを検出し各独立風路の風量ダンパを切換え屋外の新鮮な空気を居室内に取り込み居室内の温度変動を抑え居室内の汚れた空気を屋外に排気することができる効果のある空気調和機を提供できる。
【００５８】
また、本発明によれば居室別に二酸化炭素濃度が上昇すると、屋外の新鮮な空気を居室内に取り込む換気量を増加し居室内の温度変動を抑え居室内の空気を屋外に排気し二酸化炭素濃度を低減することができる効果のある空気調和機を提供できる。
【００５９】
また、本発明によれば居室別に二酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより二酸化炭素濃度を急速に低減できる効果のある空気調和機を提供できる。
【００６０】
また、本発明によれば居室別に一酸化炭素濃度が上昇すると、屋外の新鮮な空気を居室内に取り込む換気量を増加し居室内の温度変動を抑え居室内の空気を屋外に排気し一酸化炭素濃度を低減することができる効果のある空気調和機を提供できる。
【００６１】
また、本発明によれば居室別に一酸化炭素濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより一酸化炭素濃度を急速に低減できる効果のある空気調和機を提供できる。
【００６２】
また、本発明によれば居室別に粉塵が上昇すると、屋外の新鮮な空気を居室内に取り込む換気量を増加し居室内の温度変動を抑え居室内の空気を屋外に排気し粉塵量を低減することができる効果のある空気調和機を提供できる。
【００６３】
また、本発明によれば居室別に粉塵が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することにより粉塵量を急速に低減できる効果のある空気調和機を提供できる。
【００６４】
また、本発明によれば居室別にホルムアルデヒド濃度が上昇すると、屋外の新鮮な空気を居室内に取り込む換気量を増加し居室内の温度変動を抑え居室内の空気を屋外に排気しホルムアルデヒド濃度を低減することができる効果のある空気調和機を提供できる。
【００６５】
また、本発明によれば居室別にホルムアルデヒド濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりホルムアルデヒド濃度を急速に低減できる効果のある空気調和機を提供できる。
【００６６】
また、本発明によれば居室別にアンモニア濃度が上昇すると、屋外の新鮮な空気を居室内に取り込む換気量を増加し居室内の温度変動を抑え居室内の空気を屋外に排気しアンモニア濃度を低減することができる効果のある空気調和機を提供できる。
【００６７】
また、本発明によれば居室別にアンモニア濃度が上昇すると吹出ユニットの吹出風量を増加し屋外の新鮮な空気を居室内に取り込む換気量を増加すると共に吸込ユニットの吸込風量を増加し居室内の温度変動を抑えながら屋外に排気する排気風量を増加することによりアンモニア濃度を急速に低減できる効果のある空気調和機を提供できる。
【００６８】
また、本発明によれば居室別に在室を検出すると、屋外の新鮮な空気を居室内に取り込む換気量を増加し居室内の温度変動を抑え居室内の嫌な臭いを屋外に排気することができる空気調和機を提供できる。
【００６９】
また、本発明によれば居室別に在室人数により、吸込ユニットと吹出ユニットからの吸込と吹出風量を制御することができる効果のある空気調和機を提出できる。
【発明を実施するための最良の形態】
【００７０】
本発明の請求項１記載の発明は、屋内排気吸込口から屋外排気口へ至る風路を通過する空気と屋外吸込口から複数の屋内吹出口へ至る風路を通過する空気を熱交換する全熱交換器と、屋外吸込口から熱交換された空気を各屋内吹出口へ送風する独立風路と、前記各独立風路内に冷房または暖房する熱交換器と風量を調整する風量ダンパと、屋内循環吸込口から屋内吹出口へ送風する循環風路と、前記循環風路内に冷房または暖房する熱交換器と、前記風路と循環風路の混合空気を吹出す屋内吹出口を備えた室内機と、前記室内機の屋内吹出口とダクトにより接続する吹出ファンと空気の汚れを検出するセンサーを備えた吹出ユニットと、屋内排気吸込口とダクトにより接続し吸込ファンを備えた吸込ユニットとを備え、前記吹出ユニットに備えたセンサーにより各居室の空気の汚れを検出し各独立風路の風量ダンパを切換えることにより、各居室に最適な吹出風量を供給し、各居室の汚れ具合に応じて居室別に換気量を増減し屋外の新鮮な空気を取り込み居室の温度変動を抑え、不必要に室内空調負荷を増大することなく、汚れた空気を早急に屋外に排気することができるという作用を有する。
【００７１】
また、吹出ユニットにＣＯ↓２センサーを備え、居室内の二酸化炭素濃度により風量ダンパを切換えることにより、屋外の新鮮な空気を居室内に取り込む換気量を増加し居室内の温度変動を抑え居室内の空気を屋外に排気し二酸化炭素濃度を低減することができるという作用を有する。
【００７２】
また、吹出ユニットのＣＯ↓２センサーによる居室内の二酸化炭素濃度により風量ダンパを切換え、吹出ファンと吸込ファンの風量を増加することにより、屋外の新鮮な空気を居室内に取り込む換気量を増加し居室内の温度変動を抑えながら屋外に排気する排気風量を増加することにより二酸化炭素濃度を急速に低減できるという作用を有する。
【００７３】
また、吹出ユニットにＣＯセンサーを備え、居室内の一酸化炭素濃度により風量ダンパを切換えることにより、屋外の新鮮な空気を居室内に取り込む換気量を増加し居室内の温度変動を抑え居室内の空気を屋外に排気し一酸化炭素濃度を低減することができるという作用を有する。
【００７４】
また、吹出ユニットのＣＯセンサーによる居室内の一酸化炭素濃度により風量ダンパを切換え、吹出ファンと吸込ファンの風量を増加することにより、屋外の新鮮な空気を居室内に取り込む換気量を増加し居室内の温度変動を抑えながら屋外に排気する排気風量を増加することにより一酸化炭素濃度を急速に低減できるという作用を有する。
【００７５】
また、吹出ユニットに粉塵センサーを備え、居室内の粉塵量により風量ダンパを切換えることにより、屋外の新鮮な空気を居室内に取り込む換気量を増加し居室内の温度変動を抑え居室内の空気を屋外に排気し粉塵量を低減することができるという作用を有する。
【００７６】
また、吹出ユニットの粉塵センサーによる居室内の粉塵量により風量ダンパを切換え、吹出ファンと吸込ファンの風量を増加することにより、屋外の新鮮な空気を居室内に取り込む換気量を増加し居室内の温度変動を抑えながら屋外に排気する排気風量を増加することにより粉塵量を急速に低減できるという作用を有する。
【００７７】
また、吹出ユニットにＶＯＣセンサーを備え、居室内のホルムアルデヒドにより風量ダンパを切換えることにより、屋外の新鮮な空気を居室内に取り込む換気量を増加し居室内の温度変動を抑え居室内の空気を屋外に排気しホルムアルデヒドを低減できるという作用を有する。
【００７８】
また、吹出ユニットのＶＯＣセンサーによる居室内のホルムアルデヒドにより風量ダンパを切換え、吹出ファンと吸込ファンの風量を増加することにより、屋外の新鮮な空気を居室内に取り込む換気量を増加し居室内の温度変動を抑えながら屋外に排気する排気風量を増加することによりホルムアルデヒドを急速に低減できるという作用を有する。
【００７９】
また、吹出ユニットにアンモニアセンサーを備え、居室内のアンモニアにより風量ダンパを切換えることにより、屋外の新鮮な空気を居室内に取り込む換気量を増加し居室内の温度変動を抑え居室内の空気を屋外に排気しアンモニアを低減できるという作用を有する。
【００８０】
また、吹出ユニットのアンモニアセンサーによる居室内のアンモニアにより風量ダンパを切換え、吹出ファンと吸込ファンの風量を増加することにより、屋外の新鮮な空気を居室内に取り込む換気量を増加し居室内の温度変動を抑えながら屋外に排気する排気風量を増加することによりアンモニアを急速に低減できるという作用を有する。
【００８１】
また、吹出ユニットに、居室内の人を認識する人感センサーを設け、人の有無により風量ダンパを切換え、吹出ファンと吸込ファンの風量を増減することにより、屋外の新鮮な空気を居室内に取り込む換気量を増加し居室内の温度変動を抑え居室内の空気を屋外に排気することができる作用を有する。
【００８２】
また、吹出ユニットに、居室内の人を認識する人感センサーを設け、その認識された在室人数により風量ダンパを切換え、吹出ファンと吸込ファンの風量を増減するものであり、室内の温度変化を短時間で安定することができるという作用を有する。
【００８３】
以下、本発明の実施の形態について図面を参照しながら説明する。
【００８４】
（実施の形態１）
従来と同一部分は同一番号を符し、詳細な説明は省略する。
【００８５】
図１、２、３に示すように、室内機１内部には屋内排気吸込口２から屋外排気口３へ至る風路を通過する空気と屋外吸込口４から複数の屋内吹出口５へ至る風路を通過する空気を熱交換する全熱交換器６と、屋外吸込口４から熱交換された空気を各屋内吹出口５へ送風する独立風路７と、前記独立風路７内に風量を調整する風量ダンパ８と冷房または暖房する熱交換器９を備えている。
【００８６】
屋内循環吸込口１０から屋内吹出口５へ送風する循環風路１１内に冷房または暖房する熱交換器９を備え、屋内吹出口５からは独立風路と循環風路の混合空気を吹出す。
【００８７】
吹出ユニット１２は、吹出ダクト１３を介し室内機１の屋内吹出口５に接続する。吹出ユニット１２の内部には、吹出モータ１４により駆動される吹出ファン１５と吹出温度を検出するサーミスタ１６と居室の空気の汚れを検出するセンサー１７を備え、吹出モータ１４は、吹出制御手段１８内部のモータ駆動手段１９と駆動電線２０により接続し、駆動電線２０の電流を検出するための電流検出手段２１とモータ駆動手段１９はマイコン２２に接続する。吸込ユニット２３は、吸込ダクト２４を介し室内機１の屋内排気吸込口２に接続し、吸込ユニット２３の内部には、吸込モータ２５により駆動される吸込ファン２６を備え、吸込モータ２５は、吸込制御手段２７内部のモータ駆動手段ａ２８と駆動電線ａ２９により接続し、駆動電線ａ２９の電流を検出するための電流検出手段ａ３０とモータ駆動手段ａ２８はマイコンａ３１に接続する。
【００８８】
上記構成において、屋外吸込口４から吸い込まれた空気は屋内排気と熱交換され各風量ダンパ８により風量調整行う。風量調整を行い熱交換器９を通過した冷風または暖風と屋内循環吸込口１０から吸込まれ熱交換器９を通過した冷風または暖風は、混合され吹出ダクト１３を通り吹出ユニット１２より各居室内に送風され冷房または暖房を行うこととなる。吹出ユニット１２に設けたサーミスタ１６は各居室の温度を検出し検出温度と設定温度との比較を行い、吹出ユニット１２と吸込ユニット２３の必要風量を算出する。冷房の場合、設定温度が高いときは、必要風量を増加し、設定温度が低いときは、必要風量を減少する。算出された必要風量に応じて吹出ユニット１２の吹出モータ１４の制御を行い、吹出モータ１４の回転数はマイコン２２にあらかじめ設定されており、マイコン２２内部のＲＯＭ（図示せず）には、吹出モータ１４の回転数に対する理想的な電流値データ（図示せず）が保持されている。吹出ユニット１２に接続した吹出ダクト１３のダクト長やダクトの曲がりによる空気抵抗により影響を受けた回転数は、電流検出手段２１で検出した電流値と比較し、差がある場合には、マイコン２２は、電流値データ（図示せず）に近づくように、吹出モータ１４の回転数を上昇または下降し吹出風量の一定化を行う。
【００８９】
同様に、吸込モータ２５の回転数は、マイコンａ３１に設定されておりマイコンａ３１内部のＲＯＭ（図示せず）には、吸込モータ２５の回転数に対する理想的な電流値データ（図示せず）が保持されている。吸込ユニット２３に接続した吸込ダクト２４のダクト長やダクトの曲がりによる空気抵抗により影響を受けた回転数は、電流検出手段ａ３０で検出した電流値と比較し、差がある場合には、マイコンａ３１は、電流値データ（図示せず）に近づくように、吸込モータ２５の回転数を上昇または下降し吸込風量の一定化を行う。
【００９０】
吹出ユニット１２に設けたセンサー１７は各居室の空気の汚れを検出し、汚れ度合いに応じて各風量ダンパ８を可変する。
【００９１】
吹出ユニット１２の吹出風量と吸込ユニット２３の吸込風量は、接続したダクト長やダクトの曲がりによる空気抵抗を考慮することなく一定風量に制御し、冷房または暖房などの空気調和された空気が各室内に安定に、均一に供給することとなる。
【００９２】
吹出ユニットに備えたセンサーにより各居室の空気の汚れを検出すると、各独立風路７の風量ダンパ８を開側に切換えることにより、各居室別に換気量を増し屋外の新鮮な空気を取り込み居室の温度変動を抑え、汚れた空気を早急に、速やかに屋外に排気することができ、また、汚れの度合いに応じて汚れが多い場合は、風量ダンパ８の角度を大きく換気風量を多く取り込み早急に居室内の換気を行い、汚れが少ない場合は、風量ダンパ８の角度を小さくし取り込む換気風量を少なくすることにより無駄な居室の温度変動を抑えるとともに室内空調負荷を低減でき、省エネルギーにすることができる。
【００９３】
なお、吹出制御手段１８としては、モータ駆動や他のユニットと通信するためのソフトがプログラムされたマイコンやモータ駆動の半導体やモータに流れている電流を検出する部品を搭載した基板などがあり、マイコン２２は、モータを駆動するためのＰＷＭ信号を与えるソフトがプログラムされているものである。
【００９４】
なお、モータ駆動手段１９としては、モータを駆動すれば良く、例えばトランジスタやＦＥＴなどの駆動素子などがある。
【００９５】
なお、電流検出手段２１としては、モータ電流を検出できれば良く、カーレントトランスやシャント抵抗による電流検出などがある。
【００９６】
なお、汚れを検出するセンサー１７は粉塵センサーなどがある。
【００９７】
（実施の形態２）
従来例、実施の形態１と同一部分は同一番号を符し、詳細な説明は省略する。
【００９８】
図４に示すように、吹出ユニット１２の居室側にＣＯ↓２センサー３２を設け、ＣＯ↓２センサー３２は吹出制御手段１８に接続されている。
【００９９】
上記構成により、居室内空気の二酸化炭素濃度はＣＯ↓２センサー３２が検出し、ＣＯ↓２濃度が１０００ｐｐｍ以上になると吹出制御手段１８が風量ダンパ８を開側に切換え屋外の新鮮な空気を吸込み室内機１の熱交換器９により冷房または暖房し循環空気と混合し居室内に供給しＣＯ↓２濃度を低減することができる。さらにＣＯ↓２センサー３２が１０００ｐｐｍ以下を検出すると吹出制御手段１８が風量ダンパ８を閉側に切換え換気量を必要風量に戻す。
【０１００】
なお、風量ダンパ８切換えの二酸化炭素濃度を一例としビル管理法の１０００ｐｐｍとしたが、さまざまな環境により異なった値とする。
【０１０１】
（実施の形態３）
従来例、実施の形態１乃至２と同一部分は同一番号を符し、詳細な説明は省略する。
【０１０２】
図５に示すように、吹出ユニット１２の居室側にＣＯ↓２センサー３２を設け、ＣＯ↓２センサー３２は吹出制御手段１８に接続され接続電線３３により吸込ユニット２３の吸込制御手段２７に接続されている。
【０１０３】
上記構成により、室内の空気の二酸化炭素濃度はＣＯ↓２センサー３２が検出し、二酸化炭素濃度が１０００ｐｐｍ以上になると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、二酸化炭素濃度が上昇した居室内の空気を早急に屋外に排出し、同時に屋外の新鮮な空気を吸い込み、室内機１の熱交換器９により冷房または暖房され循環空気と混合し居室内に供給する。さらにＣＯ↓２センサー３２が１０００ｐｐｍ以下を検出すると、吹出制御手段１８が風量ダンパ８を閉側に切換え換気量を必要風量に戻すと共に吹出ユニット１２の吹出風量を通常に戻し、さらに接続電線３３を介し吸込制御手段２７に対して吸込ユニット２３の吸込風量を通常に戻すように信号を送信することにより、室内の二酸化炭素濃度を急速に低減できる。
【０１０４】
（実施の形態４）
従来例、実施の形態１乃至３と同一部分は同一番号を符し、詳細な説明は省略する。
【０１０５】
図６に示すように、吹出ユニット１２の居室側にＣＯセンサー３４を設け、ＣＯセンサー３４は吹出制御手段１８に接続されている。
【０１０６】
上記構成により、居室内空気の一酸化炭素濃度はＣＯセンサー３４が検出し、一酸化炭素濃度が１０ｐｐｍ以上になると吹出制御手段１８が風量ダンパ８を開側に切換え、屋外の新鮮な空気を吸込み室内機１の熱交換器９により冷房または暖房され循環空気と混合し居室内に供給し一酸化炭素濃度を低減することができる。さらにＣＯセンサー３４が１０ｐｐｍ以下を検出すると吹出制御手段１８が風量ダンパ８を閉側に切換え換気量を必要風量に戻す。
【０１０７】
なお、風量ダンパ８切換えの一酸化炭素濃度を一例としビル管理法の１０ｐｐｍとしたが、さまざまな環境により異なった値とする。
【０１０８】
（実施の形態５）
従来例、実施の形態１乃至４と同一部分は同一番号を符し、詳細な説明は省略する。
【０１０９】
図７に示すように、吹出ユニット１２の居室側にＣＯセンサー３４を設け、ＣＯセンサー３４は吹出制御手段１８に接続され接続電線３３により吸込ユニット２３の吸込制御手段２７に接続されている。
【０１１０】
上記構成により、室内の空気の一酸化炭素濃度はＣＯセンサー３４が検出し、一酸化炭素濃度が１０ｐｐｍ以上になると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、一酸化炭素濃度が上昇した居室内の空気を早急に屋外に排出し、同時に屋外の新鮮な空気を吸い込み、室内機１の熱交換器９により冷房または暖房し循環空気と混合し居室内に供給する。さらにＣＯ↓２センサー３２が１０ｐｐｍ以下を検出すると、吹出制御手段１８が風量ダンパ８を閉側に切換え換気量を必要風量に戻すと共に吹出ユニット１２の吹出風量を通常に戻し、さらに接続電線３３を介し吸込制御手段２７に対して吸込ユニット２３の吸込風量を通常に戻すように信号を送信することにより、室内の一酸化炭素濃度を急速に低減できる。
【０１１１】
（実施の形態６）
従来例、実施の形態１乃至５と同一部分は同一番号を符し、詳細な説明は省略する。
【０１１２】
図８に示すように、吹出ユニット１２の居室側に粉塵センサー３５を設け、粉塵センサー３５は吹出制御手段１８に接続されている。
【０１１３】
上記構成により、居室内空気の粉塵量は粉塵センサー３５が検出し、粉塵量が０．１５ｍｇ以上になると吹出制御手段１８が風量ダンパ８を開側に切換え、屋外の新鮮な空気を吸込み室内機１の熱交換器９により冷房または暖房され循環空気と混合し居室内に供給し粉塵量を低減することができる。さらに粉塵センサー３５が０．１５ｍｇ以下を検出すると吹出制御手段１８が風量ダンパ８を閉側に切換え換気量を必要風量に戻す。
【０１１４】
なお、風量ダンパ切換えの粉塵漁を一例としビル管理法の空気１ｍ↑３につき０．１５ｍｇとしたが、さまざまな環境により異なった値とする。
【０１１５】
（実施の形態７）
従来例、実施の形態１乃至６と同一部分は同一番号を符し、詳細な説明は省略する。
【０１１６】
図９に示すように、吹出ユニット１２の居室側に粉塵センサー３５を設け、粉塵センサー３５は吹出制御手段１８に接続され接続電線３３により吸込ユニット２３の吸込制御手段２７に接続されている。
【０１１７】
上記構成により、室内の空気の粉塵量は粉塵センサー３５が検出し、粉塵量が０．１５ｍｇ以上になると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、粉塵量が上昇した居室内の空気を早急に屋外に排出し、同時に屋外の新鮮な空気を吸い込み、室内機１の熱交換器９により冷房または暖房され循環空気と混合し居室内に供給する。さらに粉塵センサー３５が０．１５ｍｇ以下を検出すると、吹出制御手段１８が風量ダンパ８を閉側に切換え換気量を必要風量に戻すと共に吹出ユニット１２の吹出風量を通常に戻し、さらに接続電線３３を介し吸込制御手段２７に対して吸込ユニット２３の吸込風量を通常に戻すように信号を送信することにより、室内の粉塵量を急速に低減できる。
【０１１８】
（実施の形態８）
従来例、実施の形態１乃至７と同一部分は同一番号を符し、詳細な説明は省略する。
【０１１９】
図１０に示すように、吹出ユニット１２の居室側にＶＯＣセンサー３６を設け、ＶＯＣセンサー３６は吹出制御手段１８に接続されている。
【０１２０】
上記構成により、居室内空気のホルムアルデヒドはＶＯＣセンサー３６が検出し、ホルムアルデヒドが０．０８ｐｐｍ以上になると吹出制御手段１８が風量ダンパ８を開側に切換え、屋外の新鮮な空気を吸込み室内機１の熱交換器９により冷房または暖房され循環空気と混合し居室内に供給しホルムアルデヒドを低減することができる。さらにＶＯＣセンサー３６が０．０８ｐｐｍ以下を検出すると吹出制御手段１８が風量ダンパ８を閉側に切換え換気量を必要風量に戻す。
【０１２１】
なお、風量ダンパ８切換えのホルムアルデヒドを一例としビル管理法の０．０８ｐｐｍとしたが、さまざまな環境により異なった値とする。
【０１２２】
（実施の形態９）
従来例、実施の形態１乃至８と同一部分は同一番号を符し、詳細な説明は省略する。
【０１２３】
図１１に示すように、吹出ユニット１２の居室側にＶＯＣセンサー３６を設け、ＶＯＣセンサー３６は吹出制御手段１８に接続され接続電線３３により吸込ユニット２３の吸込制御手段２７に接続されている。
【０１２４】
上記構成により、室内の空気のホルムアルデヒドはＶＯＣセンサー３６が検出し、ホルムアルデヒドが０．０８ｐｐｍ以上になると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、ホルムアルデヒドが上昇した居室内の空気を早急に屋外に排出し、同時に屋外の新鮮な空気を吸い込み、室内機１の熱交換器９により冷房または暖房され循環空気と混合し居室内に供給する。さらにＶＯＣセンサー３６が０．０８ｐｐｍ以下を検出すると、吹出制御手段１８が風量ダンパ８を閉側に切換え換気量を必要風量に戻すと共に吹出ユニット１２の吹出風量を通常に戻し、さらに接続電線３３を介し吸込制御手段２７に対して吸込ユニット２３の吸込風量を通常に戻すように信号を送信することにより、室内のホルムアルデヒドを急速に低減できる。
【０１２５】
（実施の形態１０）
従来例、実施の形態１乃至９と同一部分は同一番号を符し、詳細な説明は省略する。
【０１２６】
図１２に示すように、吹出ユニット１２の居室側にアンモニアセンサー３７を設け、アンモニアセンサー３７は吹出制御手段１８に接続されている。
【０１２７】
上記構成により、居室内空気のアンモニア濃度はアンモニアセンサー３７が検出し、アンモニア濃度が１ｐｐｍ以上になると吹出制御手段１８が風量ダンパ８を開側に切換え、屋外の新鮮な空気を吸込み室内機１の熱交換器９により冷房または暖房され循環空気と混合し居室内に供給しアンモニア濃度を低減することができる。さらにアンモニアセンサー３７が１ｐｐｍ以下を検出すると吹出制御手段１８が風量ダンパ８を閉側に切換え換気量を必要風量に戻す。
【０１２８】
なお、風量ダンパ切換えのアンモニア濃度を一例としビル管理法の０．０８ｐｐｍとしたが、さまざまな環境により異なった値とする。
【０１２９】
（実施の形態１１）
従来例、実施の形態１乃至１０と同一部分は同一番号を符し、詳細な説明は省略する。
【０１３０】
図１３に示すように、吹出ユニット１２の居室側にアンモニアセンサー３７を設け、アンモニアセンサー３７は吹出制御手段１８に接続され接続電線３３により吸込ユニット２３の吸込制御手段２７に接続されている。
【０１３１】
上記構成により、室内の空気のアンモニア濃度はアンモニアセンサー３７が検出し、アンモニア濃度が１ｐｐｍ以上になると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、アンモニア濃度が上昇した居室内の空気を早急に屋外に排出し、同時に屋外の新鮮な空気を吸い込み、室内機１の熱交換器９により冷房または暖房され循環空気と混合し居室内に供給する。さらにアンモニアセンサー３７が１ｐｐｍ以下を検出すると、吹出制御手段１８が風量ダンパ８を閉側に切換え換気量を必要風量に戻すと共に吹出ユニット１２の吹出風量を通常に戻し、さらに接続電線３３を介し吸込制御手段２７に対して吸込ユニット２３の吸込風量を通常に戻すように信号を送信することにより、室内のアンモニア濃度を急速に低減できる。
【０１３２】
（実施の形態１２）
従来例、実施の形態１乃至１１と同一部分は同一番号を符し、詳細な説明は省略する。
【０１３３】
図１４に示すように、吹出ユニット１２の居室側に人感センサー３８を設け、人感センサー３８は吹出制御手段１８に接続され接続電線３３により吸込ユニット２３の吸込制御手段２７に接続されている。
【０１３４】
上記構成により、人感センサー３８が居室内に人を検出すると吹出制御手段１８が風量ダンパ８を開側に切換えると共に吹出ユニット１２の吹出風量を増加し、さらに接続電線３３を介し吸込制御手段２７に対して吸込ユニット２３の吸込風量の増加するように信号を送信し、居室内の空気を早急に屋外に排出し、同時に屋外の新鮮な空気を吸い込み、室内機１の熱交換器９により冷房または暖房され循環空気と混合し居室内に供給することにより室内のタバコなどの臭いやＣＯ↓２を急速に低減することができるなお、人感センサー３８としては、赤外センサーがある。
【産業上の利用可能性】
【０１３５】
空気調和機内部の吸気ファンをなくし、吸込み口と吹出し口の両方に送風用ファンを設けことにより、ダクト長やダクトの曲がりそして分岐数を気にすることなく施工できることにより、浴室暖房乾燥機や換気扇にも適用できる。
【図面の簡単な説明】
【０１３６】
【図１】本発明の実施の形態１の構成図
【図２】本発明の実施の形態１の構成図
【図３】本発明の実施の形態１の構成図
【図４】本発明の実施の形態２の構成図
【図５】本発明の実施の形態３の構成図
【図６】本発明の実施の形態４の構成図
【図７】本発明の実施の形態５の構成図
【図８】本発明の実施の形態６の構成図
【図９】本発明の実施の形態７の構成図
【図１０】本発明の実施の形態８の構成図
【図１１】本発明の実施の形態９の構成図
【図１２】本発明の実施の形態１０の構成図
【図１３】本発明の実施の形態１１の構成図
【図１４】本発明の実施の形態１２の構成図
【図１５】従来の空気調和機の構成図
【符号の説明】
【０１３７】
１      室内機
２      屋内排気吸込口
３      屋外排気口
４      屋外吸込口
５      屋内吹出口
６      全熱交換器
７      独立風路
８      風量ダンパ
９      熱交換器
１０    屋内循環吸込口
１１    循環風路
１２    吹出ユニット
１３    吹出ダクト
１４    吹出モータ
１５    吹出ファン
１６    サーミスタ
１７    センサー
１８    吹出制御手段
１９    モータ駆動手段
２０    駆動電線
２１    電流検出手段
２２    マイコン
２３    吸込ユニット
２４    吸込ダクト
２５    吸込モータ
２６    吸込ファン
２７    吸込制御手段
２８    モータ駆動手段ａ
２９    駆動電線ａ
３０    電流検出手段ａ
３１    マイコンａ
３２    ＣＯ↓２センサー
３３    接続電線
３４    ＣＯセンサー
３５    粉塵センサー
３６    ＶＯＣセンサー
３７    アンモニアセンサー
３８    人感センサー
１０１  室内機
１０２  給気ファン
１０３  給気ファン
１０４  排気口
１０５  排気ファン
１０６  全熱交換器
１０７  冷暖房用熱交換器
１０８  分岐チャンバ
１０９  ダクト
１１０  外気導入口
【図１】
2007187335.tif 000003
【図２】
2007187335.tif 000004
【図３】
2007187335.tif 000005
【図４】
2007187335.tif 000006
【図５】
2007187335.tif 000007
【図６】
2007187335.tif 000008
【図７】
2007187335.tif 000009
【図８】
2007187335.tif 000010
【図９】
2007187335.tif 000011
【図１０】
2007187335.tif 000012
【図１１】
2007187335.tif 000013
【図１２】
2007187335.tif 000014
【図１３】
2007187335.tif 000015
【図１４】
2007187335.tif 000016
【図１５】
2007187335.tif 000017